(57)【特許請求の範囲】
【請求項１】
作動バネ１５のバネ力により水平位置へと復帰するＬ型レバーハンドルの軸部２ａの露出面に直交するように直に固定され、かつ、先端部が縦枠４方向へと延びたラッチ機能を有する凸係合片７と、一方、前記縦枠４のドアストッパー部５に直に固定されたストライク機能を有する凹被係合片１０とを含み、前記凹被係合片１０は、下端部から立上がり状に延びた係止爪部１３を有する逆コ状に形成され、扉の閉鎖の際、前記レバーハンドルの把手部を所要の角度まで手で軽く押し下げながら扉を移動させると、前記凸係合片７が前記凹被係合片１０内に入り込み、一方、把手部から手を放すと、前記作動バネのバネ力により該レバーハンドルは元の位置へと復帰して前記凸係合片７は前記凹被係合片１０の係止爪部１３に係止されることを特徴とするレバーハンドルのロック構造。
【請求項２】
請求項１に於いて、係止爪部１３の外壁面１３ａはテーパー状に形成され、一方、凸係合片７の内壁面７ａに対する外壁面７ｂの少なくとも下部には、閉扉の際にレバーハンドル２の回転に対応して前記外壁面１３ａに摺接する傾斜面８が形成されていることを特徴とするレバーハンドルのロック構造。
【発明の詳細な説明】
【０００１】
【発明の属する技術分野】
本発明は、建物の出入り口、室内等のドアに取付けられるレバーハンドルのロック構造に関する。
【０００２】
【従来の技術】
普通一般に当業者の間で「空錠」と称される扉の錠は、扉の開放側端部の中央部寄りの部位に、縦框に設けられたストライクに対応して錠ケースやラッチが出没するフロントが設けられている。そして、周知のように前記ラッチはハンドル軸、丸座等の部材を介して室内外に取付けられたＬ型レバーハンドルを下方へとその作動バネのバネ力に抗して押し下げると錠ケース内に後退し、係止部材としてのストライクから外れる。
【０００３】
ところで、このような「空錠」に於いて、製品コスト低減化、扉の加工の簡略化等を考慮すると、極力部品点数を少なくし、また扉の加工も簡単に抑え、加工コストの低減化を図る必要がある。
【０００４】
【発明が解決しようとする課題】
本発明は従来の「空錠」の有する問題点に鑑み、第１の目的は極力部品点数を少なくし、製品コスト低減化を図ることである。第２の目的は扉の加工を簡単に抑え、加工コストの低減化を図ることである。第３の目的は閉扉の際にレバーハンドルの凸係合片が鉤状の凹被係合片に容易に入り込み、かつ、確実に係止（ロック）されることである。
【０００５】
【課題を解決するための手段】
本発明のレバーハンドルのロック構造は、作動バネ１５のバネ力により水平位置へと復帰するＬ型レバーハンドルの軸部２ａの露出面に直交するように直に固定され、かつ、先端部が縦枠４方向へと延びたラッチ機能を有する凸係合片７と、一方、前記縦枠４のドアストッパー部５に直に固定されたストライク機能を有する凹被係合片１０とを含み、前記凹被係合片１０は、下端部から立上がり状に延びた係止爪部１３を有する逆コ状に形成され、扉の閉鎖の際、前記レバーハンドルの把手部を所要の角度まで手で軽く押し下げながら扉を移動させると、前記凸係合片７が前記凹被係合片１０内に入り込み、一方、把手部から手を放すと、前記作動バネのバネ力により該レバーハンドルは元の位置へと復帰して前記凸係合片７は前記凹被係合片１０の係止爪部１３に係止されることを特徴とする。
【０００６】
上記構成に於いて、係止爪部１３の外壁面１３ａはテーパー状に形成され、一方、凸係合片７の内壁面７ａに対する外壁面７ｂの少なくとも下部には、閉扉の際にレバーハンドル２の回転に対応して前記外壁面１３ａに摺接する傾斜面８が形成されていることを特徴とする。
【０００７】
【発明の実施の形態】
図１乃至図７に示す第１実施例のレバーハンドルのロック構造について説明する。まず本発明の実施の環境について簡単に説明すると、１はドア、２はレバーハンドル、３はドアの内外の側壁に設けられたレバーハンドルの丸座、４はドア用の縦枠、５は縦枠に縦杆状に形成された額縁の一部を構成するドアストッパー部である。前記レバーハンドル２は、図３を基準にすると、平面Ｌ型状であり、杆状のレバーハンドル用連結軸６の端部が嵌入する外観略円柱状の軸部２ａと、この軸部２ａの先端部分から略直角方向に屈曲させ、その屈曲部分から自由端部まで肉厚の略板状に形成した把手部２ｂとから成る。
【０００８】
次に本発明の主要部について説明すると、７はＬ型レバーハンドルの前記軸部２ａに固定的に突設されたラッチ機能を有する凸係合片である。この凸係合片７は軸部２ａと直交し、かつ、前記縦枠４或いはドアストッパー部５に向かって水平状態に設けられている。
【０００９】
しかして、凸係合片７の内壁面７ａ（ドアの側壁１ａ側或いは丸座３側と対向する方を意味する。）は垂直であり、この内壁面７ａに対する外壁面７ｂの上部及び下部には、先端部から取付け部に至まで略同幅の傾斜面８、８が形成されている（図２参照）。なお、凸係合片７の前記外壁面７ｂは半円弧状であっても良い。
【００１０】
一方、１０は縦枠４のドアストッパー部５に複数個の固着具１１を介して固定されたストライク機能を有する鉤状の凹被係合片である。この鉤状凹被係合片１０は、図１を基準にすると、逆コ状型の受け入れ部１２と、この受け入れ部１２の下端部から立上がり状に延びた係止爪部１３とから成る。
【００１１】
しかして、係止爪部１３の外壁面１３ａは、凸係合片７の下側の傾斜面８と摺接することができるようにテーパ状に形成されている。
【００１２】
ところで、レバーハンドル２は、把手部２ｂに手を当てて操作した後に、座に内蔵されたハンドル復帰用の作動バネにより、自動的に元の水平位置へと復帰する。図４乃至図６は、丸座３に内装された作動バネ１５とレバーハンドル２との関係を示している。特に図５及び図６は作動バネ１５の両端部の係合関係を示している。
【００１３】
そこで、図４乃至図６を参照に作動バネ１５の両端部がレバーハンドル２側の回転部材と、丸座３側の固定部材との関係でどのように係合しているかについて簡単に説明する。
【００１４】
まず図４は作動バネ１５が円盤状の固定部材１６と、角型の軸孔１７を有する断面ハット型の回転共働部材１８との間に内装されている説明図である。この図４及び固定部材１６の形態を内側から見た図５から明らかなように、円盤状の固定部材１６は、中央部に連結軸６が貫通する筒状嵌合部１９と、この筒状嵌合部１９の外側に環状に形成されたバネ収納部２０と、このバネ収納部２０の外側に段差状に形成され、かつ、回転共働部材１８の鍔部１８ｂを受ける環状的受面部２１と、この環状的受面２１の外側に突状に周設されたドア用当り部２２とから成る。
【００１５】
そして、前記固定部材１６の環状的受面部２１にはバネ収納部２０と連通する半径方向の係合切欠部２３が形成されており、この係合切欠部２３に作動バネ１５の一端部１５ａが係合する。
【００１６】
一方、図６はレバーハンドル２と共に回転する回転共働部材１８の説明図である。この回転共働部材１８は、前述したように中央部に角型の軸孔１７を有するハット型回転体であり、周壁１８ａの一部には作動バネ１５の一端部１５ｂが貫通する小係合孔２５が形成されている。
【００１７】
上記構成に於いて、図１は開扉状態の説明図である。この時レバーハンドル２は、作動バネ１５のバネ力により所定の状態（水平状態）で停止している。またレバーハンドル２は、例えば右手で把手部２ｂを軽く掴みながら押し下げると、作動バネ１５のバネ力に抗して時計（下）方向に回転する。一方、把手部２ｂから右手を放すと作動バネ１５のバネ力により元の位置へと復帰する。この点は、普通一般のレバーハンドルと同様である。
【００１８】
そこで、今仮に図２又は図３で示すような閉扉状態にする為にドア１を閉めようとする時には、前述したようにレバーハンドル２の把手部２ｂを軽く掴み、例えばレバーハンドル２を多少傾倒させながら手前側に引き寄せる。そうすると、レバーハンドル２の凸係合片７の下側の傾斜面８が鉤状凹被係合片１０の係止爪部１３のテーパ状外壁面１３ａと当たりながら摺接し、これによりレバーハンドル２が下方へと下がる反面、当然のことながら凸係合片７が水平状態から斜め上方方向へと傾く。つまり、凸係合片７はレバーハンドル２と共に同方向に回転する。
【００１９】
その結果、図７で示すように凸係合片７は鉤状凹被係合片１０の係止爪部１３の先を乗り越え、逆コ状型の受け入れ部１２内に入り込む。そこで、把手部２ｂから手を放すと、レバーハンドル２は作動バネ１５のバネ力により復帰し、水平状態になる。この時レバーハンドル２のラッチ機能を有する凸係合片７は、その垂直内壁面７ａがストライク機能を有する鉤状凹被係合片１０の係止爪部１３に面接触状態で係止される格好となる。
【００２０】
したがって、レバーハンドル２は、該レバーハンドル２を図７の実線で示す位置へと押し下げない限り、縦框４の鉤状凹被係合片１０にロックされたままであり、開扉しない。
【００２１】
【実施例】
第１実施例に於いて、凸係合片７はレバーハンドルの軸部２ａと別体の部材であるが、もちろん、レバーハンドル２を成形する際に軸部２ａに一体形成しても良い。また鉤状凹被係合片１０は、図１を基準にすると、逆コ状型の受け入れ部１２と、この受け入れ部１２の下端部から立上がり状に延びた係止爪部１３とから成るが、前記逆コ状型の受け入れ部１２は必ずしもこの形状に限定する必要はなく、例えば鉤状凹被係合片１０を全体としてＬ型状に形成し、その下端部に立上がり状に延びた係止爪部１３を形成しても良い。
【００２２】
以下、この欄では第１実施例と発明の主たる目的（課題）が同一である他の実施例について説明する。なお、他の実施例の説明に当たって、前述した第１実施例と同一構成の部分には、同一又は同様の符号を付し、重複する説明を省略する。
【００２３】
図８は本発明の第２実施例である。この第２実施例の凸係合片７Ａは、外観上略円柱状である点、また鉤状凹被係合片１０Ａの係止爪部１３Ａの外壁面１３ａがストレートである点が第１実施例と異なる。
【００２４】
上記構成に於いては、ドア１Ａを閉める時にレバーハンドル２Ａを積極的に押し下げる必要がある点を除き、発明の目的及び効果は同一である。
【００２５】
【発明の効果】
以上の説明から明らかなように、本発明にあっては、次に列挙するような効果がある。
（１）部品点数が少ない。すなわち、普通一般に使用されている錠ケース、ラッチ、ラッチガイド等が全く不要である。したがって、製品コスト低減化を図ることができる。
（２）ドアに内装すべき錠ケースが不要なので、そのための加工をドアに施す必要がない。したがって、加工コストの低減化を図ることができる．
（３）縦枠のストライクの機能を有する凹被係合片が鉤状に形成されているので、閉扉の際にレバーハンドルを回転させることによりその凸係合片が前記凹被係合片に容易に入り込み、またレバーハンドルから手を放すと、該レバーハンドルは座内に設けられた作動バネのバネ力により復帰するので、鉤状凹被係合片の係止爪部に直ちに係止（ロック）される。したがって、レバーハンドルのロック及びその解消が簡単である。
（４）請求項２に記載の発明は、レバーハンドルの回転に対応してその凸係合片が凹被係合片の係止爪部のテーパー面を登ので、凸係合片が係止爪部の先を乗り越えるや否や凹被係合片に確実に入り込む。
【図面の簡単な説明】
図１及び図７は本発明の第１実施例を示す各説明図。図８は本発明の第２実施例を示す説明図。
【図１】第１実施例を斜視から見た開扉状態の概略説明図。
【図２】閉扉状態の正面からの概略説明図。
【図３】閉扉状態の平面からの概略説明図。
【図４】概略断面説明図。
【図５】作動バネの端部の係合関係を説明する各説明図。
【図６】作動バネの端部の係合関係を説明する各説明図。
【図７】係止（ロック）及び係止解消（ロック解除）の場合の説明図。
【図８】第２実施例を斜視から見た開扉状態の概略説明図。
【符号の説明】
１、１Ａ…ドア、２、２Ａ…レバーハンドル、２ａ…軸部、２ｂ…把手部、３…丸座、４…縦枠、５…ドアストッパー部、６…連結軸、７、７Ａ…凸係合片、７ａ…内壁面、７ｂ…外壁面、８…傾斜面、１０、１０Ａ…凹被係合片、１１…固着具、１２…受け入れ部、１３、１３Ａ…係止爪部、１３ａ…外壁面。
【図１】
0004084893.tif 000002
【図２】
0004084893.tif 000003
【図３】
0004084893.tif 000004
【図４】
0004084893.tif 000005
【図５】
0004084893.tif 000006
【図６】
0004084893.tif 000007
【図７】
0004084893.tif 000008
【図８】
0004084893.tif 000009